(57)【要約】【課題】ユーザインタフェース部と基板とを接続する可撓性部材が特定方向に変形困難な性質を有していても、接続状態を適切に維持することのできる電子機器を提供する。【解決手段】電子機器は、装置外面に設けられるユーザインタフェース部と、前記ユーザインタフェース部より装置内側に位置し、前記ユーザインタフェース部と電気的に接続される回路基板と、前記ユーザインタフェース部と前記回路基板とを接続するフラット状の可撓性部材と、を備え、前記可撓性部材は、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成して前記ユーザインタフェース部と前記回路基板とを接続する。【選択図】図６
2018181989.tif 000002
【特許請求の範囲】
【請求項１】
装置外面に設けられるユーザインタフェース部と、
前記ユーザインタフェース部より装置内側に位置し、前記ユーザインタフェース部と電気的に接続される回路基板と、
前記ユーザインタフェース部と前記回路基板とを接続するフラット状の可撓性部材と、を備え、
前記可撓性部材は、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成して前記ユーザインタフェース部と前記回路基板とを接続する、
ことを特徴とする電子機器。
【請求項２】
請求項１に記載の画像読取装置において、前記ユーザインタフェース部とともに装置外面を構成する、前記ユーザインタフェース部が固定される筐体と、
前記筐体により覆われる、前記回路基板が固定される本体部と、を有する、
ことを特徴とする電子機器。
【請求項３】
請求項２に記載の電子機器において、前記本体部には、前記筐体に固定される前の前記ユーザインタフェース部を仮置きする仮置き部が設けられている、
ことを特徴とする電子機器。
【請求項４】
請求項３に記載の電子機器において、前記ユーザインタフェース部の周囲には、前記筐体に対して固定される突出部が設けられ、
前記筐体には、前記ユーザインタフェース部を露呈させる開口と、
前記開口の内側に形成された、前記突出部が固定される固定部と、が設けられ、
前記本体部に前記ユーザインタフェース部が仮置きされるとともに前記筐体が取り付けられた状態において、前記突出部と前記固定部とがずれた位置関係となり、前記ユーザインタフェース部が仮置き位置から固定位置に変位可能な状態となる、
ことを特徴とする電子機器。
【請求項５】
請求項１から請求項４のいずれか一項に記載の電子機器において、前記ユーザインタフェース部は、情報を表示する表示部である、
ことを特徴とする電子機器。
【請求項６】
請求項１から請求項５のいずれか一項に記載の電子機器において、媒体を読み取る読み取り手段を備える、
ことを特徴とする電子機器。
【請求項７】
請求項１から請求項６のいずれか一項に記載の電子機器において、媒体に記録を行う記録手段を備える、
ことを特徴とする電子機器。
【請求項８】
装置外面に設けられるユーザインタフェース部と、
前記ユーザインタフェース部と電気的に接続される回路基板と、
前記ユーザインタフェース部と前記回路基板とを接続するフラット状の可撓性部材と、
前記ユーザインタフェース部とともに装置外面を構成する、前記ユーザインタフェース部が固定される筐体と、
前記筐体により覆われる、前記回路基板が固定される本体部と、を有する電子機器の製造方法であって、
前記ユーザインタフェース部と前記回路基板とを前記可撓性部材で接続する工程と、
前記回路基板の前記本体部への固定、及び前記本体部に設けられた仮置き部への前記ユーザインタフェース部の仮置きを含む工程と、
前記筐体を前記本体部に取り付けて、前記筐体に形成された開口から前記ユーザインタフェース部を露呈させるとともに、前記ユーザインタフェース部の周囲に形成された、前記筐体に対して固定される突出部に対し、前記開口の内側に形成された、前記突出部が固定される固定部をずらした状態とする工程と、
前記ユーザインタフェース部を仮置き位置から固定位置に変位させることにより、前記可撓性部材に、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成する工程と、
前記ユーザインタフェース部の前記突出部を前記固定部に対して固定する工程と、
を含むことを特徴とする電子機器の製造方法。
【発明の詳細な説明】
【技術分野】
【０００１】
本発明は、装置外面にユーザインタフェース部を備えた電子機器に関する。
【背景技術】
【０００２】
電子機器には、装置外面に各種情報を表示する表示部や、各種操作を行う為の操作部に代表されるユーザインタフェース部を備えるものがある。また、この様なユーザインタフェース部が、装置外観を構成する筐体に対して取付固定される場合がある。特許文献１には、その様な電子機器の一例が開示されている。
【先行技術文献】
【特許文献】
【０００３】
【特許文献１】実開平０５−０６９９８８号公報
【発明の概要】
【発明が解決しようとする課題】
【０００４】
特許文献１に記載の電子機器のように、装置外観を構成する筐体にユーザインタフェース部を取り付けるとともに、装置本体側に制御基板を取り付け、そして両者をケーブルで接続する構成では、装置本体に対する筐体の取り付け位置ずれや、組立後の落下による衝撃等に起因する、装置本体に対する筐体の位置ずれによって、ユーザインタフェース部と制御基板とを接続するケーブルの取り回し状態も変化する。
【０００５】
この場合、制御基板に対するユーザインタフェース部の位置ずれ方向にケーブルが柔軟に変形できれば特段の問題は生じない。しかしながら、ケーブルが特にフレキシブルフラットケーブルのように特定方向（この場合はフラット面及びケーブル長さ方向と交差する方向：以下「変形困難方向」と称する）に変形し難いケーブルの場合に、制御基板に対してユーザインタフェース部が前記変形困難方向に位置ずれすると、ケーブルとユーザインタフェース部との接続部位、或いはケーブルと制御基板との接続部位に好ましくない力が掛かり、場合によってはケーブルがユーザインタフェース部或いは制御基板から抜けてしまう虞もある。
【０００６】
そこで本発明は上記問題に鑑み成されたものであり、その目的は、ユーザインタフェース部と基板とを接続する可撓性部材が特定方向に変形困難な性質を有していても、接続状態を適切に維持することのできる電子機器を提供することにある。
【課題を解決するための手段】
【０００７】
上記課題を解決するため、本発明の第１の態様に係る電子機器は、装置外面に設けられるユーザインタフェース部と、前記ユーザインタフェース部より装置内側に位置し、前記ユーザインタフェース部と電気的に接続される回路基板と、前記ユーザインタフェース部と前記回路基板とを接続するフラット状の可撓性部材と、を備え、前記可撓性部材は、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成して前記ユーザインタフェース部と前記回路基板とを接続することを特徴とする。
【０００８】
本態様によれば、前記ユーザインタフェース部と前記回路基板とを接続するフラット状の可撓性部材は、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成して前記ユーザインタフェース部と前記回路基板とを接続するので、前記ユーザインタフェース部が、前記回路基板に対して前記可撓性部材が変形し難い方向（変形困難方向）に位置ずれした場合でも、前記第１湾曲部及び前記第２湾曲部の湾曲の度合いが変形困難方向で非均一となることで結果的に前記可撓性部材が全体的に変形困難方向で変形することができる（詳しくは後述する）。その結果、前記ユーザインタフェース部と前記回路基板との接続状態を適切に維持できる。
【０００９】
本発明の第２の態様は、第１の態様において、前記ユーザインタフェース部とともに装置外面を構成する、前記ユーザインタフェース部が固定される筐体と、前記筐体により覆われる、前記回路基板が固定される本体部と、を有することを特徴とする。
【００１０】
本態様によれば、前記ユーザインタフェース部が筐体に固定され、前記回路基板が本体部に固定される為、前記本体部に対する前記筐体の取り付け位置ずれや、組立後の落下による衝撃等に起因して、前記本体部に対する筐体の位置ずれが生じる場合があり、即ち、前記可撓性部材に前記変形困難方向への変形の力が加わる場合がある。しかしながら上述の第１の態様により、前記可撓性部材が全体的に変形困難方向で変形することができるので、前記ユーザインタフェース部と前記回路基板との接続状態を適切に維持できる。
【００１１】
本発明の第３の態様は、第２の態様において、前記本体部には、前記筐体に固定される前の前記ユーザインタフェース部を仮置きする仮置き部が設けられていることを特徴とする。
【００１２】
本態様によれば、前記筐体に固定される前の前記ユーザインタフェース部を仮置きする仮置き部が設けられているので、前記ユーザインタフェース部を組み付ける際の作業性が向上する。特に、前記ユーザインタフェース部と前記回路基板とを前記可撓性部材で接続した後、前記回路基板を前記本体部に固定する場合には、組み付け前の前記ユーザインタフェース部を安定して保持（仮置き）することができる。
【００１３】
本発明の第４の態様は、第３の態様において、前記ユーザインタフェース部の周囲には、前記筐体に対して固定される突出部が設けられ、前記筐体には、前記ユーザインタフェース部を露呈させる開口と、前記開口の内側に形成された、前記突出部が固定される固定部と、が設けられ、前記本体部に前記ユーザインタフェース部が仮置きされるとともに前記筐体が取り付けられた状態において、前記突出部と前記固定部とがずれた位置関係となり、前記ユーザインタフェース部が仮置き位置から固定位置に変位可能な状態となることを特徴とする。
【００１４】
本態様によれば、前記本体部に前記ユーザインタフェース部が仮置きされるとともに前記筐体が取り付けられた状態において、前記突出部と前記固定部とがずれた位置関係となり、前記ユーザインタフェース部が仮置き位置から固定位置に変位可能な状態となるので、前記ユーザインタフェース部を前記筐体に対し作業性容易に固定することができる。
【００１５】
本発明の第５の態様は、第１から第４の態様のいずれかにおいて、前記ユーザインタフェース部は、情報を表示する表示部であることを特徴とする。  
本態様によれば、前記ユーザインタフェース部は、情報を表示する表示部である構成において、上述した第１から第４の態様のいずれかと同様な作用効果が得られる。
【００１６】
本発明の第６の態様は、第１から第５の態様のいずれかにおいて、媒体を読み取る読み取り手段を備えることを特徴とする。  
本態様によれば、媒体を読み取る読み取り手段を備える構成において、上述した第１から第５の態様のいずれかと同様な作用効果が得られる。
【００１７】
本発明の第７の態様は、第１から第６の態様のいずれかにおいて、媒体に記録を行う記録手段を備えることを特徴とする。  
本態様によれば、媒体に記録を行う記録手段を備える構成において、上述した第１から第６の態様のいずれかと同様な作用効果が得られる。
【００１８】
本発明の第８の態様に係る電子機器の製造方法は、装置外面に設けられるユーザインタフェース部と、前記ユーザインタフェース部と電気的に接続される回路基板と、前記ユーザインタフェース部と前記回路基板とを接続するフラット状の可撓性部材と、前記ユーザインタフェース部とともに装置外面を構成する、前記ユーザインタフェース部が固定される筐体と、前記筐体により覆われる、前記回路基板が固定される本体部と、を有する電子機器の製造方法であって、前記ユーザインタフェース部と前記回路基板とを前記可撓性部材で接続する工程と、前記回路基板の前記本体部への固定、及び前記本体部に設けられた仮置き部への前記ユーザインタフェース部の仮置きを含む工程と、前記筐体を前記本体部に取り付けて、前記筐体に形成された開口から前記ユーザインタフェース部を露呈させるとともに、前記ユーザインタフェース部の周囲に形成された、前記筐体に対して固定される突出部に対し、前記開口の内側に形成された、前記突出部が固定される固定部をずらした状態とする工程と、前記ユーザインタフェース部を仮置き位置から固定位置に変位させることにより、前記可撓性部材に、前記ユーザインタフェース部から延出して装置内側に向かって湾曲することにより形成される第１湾曲部と、前記第１湾曲部とは湾曲方向が異なるとともに前記回路基板に向かって湾曲する第２湾曲部と、を形成する工程と、前記ユーザインタフェース部の前記突出部を前記固定部に対して固定する工程とを含むことを特徴とする。
【００１９】
本態様によれば、前記ユーザインタフェース部が、前記回路基板に対して前記可撓性部材が変形し難い方向（変形困難方向）に位置ずれした場合でも、前記第１湾曲部及び前記第２湾曲部の湾曲の度合いが変形困難方向で非均一となることで結果的に前記可撓性部材が全体的に変形困難方向で変形することができる（詳しくは後述する）。その結果、前記ユーザインタフェース部と前記回路基板との接続状態を適切に維持できる。  
加えて、前記本体部に前記ユーザインタフェース部が仮置きされるとともに前記筐体が取り付けられた状態において、前記突出部と前記固定部とがずれた位置関係となり、前記ユーザインタフェース部が仮置き位置から固定位置に変位可能な状態となるので、前記ユーザインタフェース部を前記筐体に対し作業性容易に固定することができる。
【図面の簡単な説明】
【００２０】
【図１】本発明に係る電子機器の一例である画像読取装置の外観斜視図。
【図２】本発明に係る画像読取装置の原稿搬送路を示す側面図。
【図３】ユーザインタフェース部と回路基板とが接続された状態を示す斜視図。
【図４】ユーザインタフェース部及び回路基板の分解斜視図。
【図５】タッチパネルの斜視図。
【図６】ユーザインタフェース部と回路基板とが接続された状態のユーザインタフェース部及び回路基板の断面図。
【図７】湾曲部を備えていない可撓性部材において、回路基板に対してユーザインタフェース部が変形困難方向に位置ずれを起こした場合の可撓性部材の状態の変化を示す説明図。
【図８】湾曲部を備える可撓性部材において、回路基板に対してユーザインタフェース部が変形困難方向に位置ずれを起こした場合の可撓性部材の状態の変化を示す説明図。
【図９】湾曲部を備える可撓性部材において、回路基板に対してユーザインタフェース部が変形困難方向に位置ずれを起こした場合の可撓性部材の状態の変化を示す説明図。
【図１０】画像読取装置の本体部を示す斜視図。
【図１１】画像読取装置の本体部に回路基板を取りつけ、ユーザインタフェース部を仮置きした状態を示す斜視図。
【図１２】本体部に筐体を取り付けた状態を示す斜視図。
【図１３】回路基板に対して、ユーザインタフェース部を仮置き位置に位置させた状態及びユーザインタフェース部を固定位置に位置させた状態を示す側断面図。
【図１４】本体部においてユーザインタフェース部を固定位置に位置させた状態を示す斜視図。
【図１５】本体部においてユーザインタフェース部の周囲を覆うカバーパネルを取りつけた状態を示す斜視図。
【発明を実施するための形態】
【００２１】
以下、本発明の実施の形態を図面に基づいて説明する。尚、各実施例において同一の構成については、同一の符号を付し、最初の実施例においてのみ説明し、以後の実施例においてはその構成の説明を省略する。
【００２２】
図１は本発明に係る電子機器の一例である画像読取装置の外観斜視図であり、図２は本発明に係る画像読取装置の原稿搬送路を示す側面図であり、図３はユーザインタフェース部と回路基板とが接続された状態を示す斜視図であり、図４はユーザインタフェース部及び回路基板の分解斜視図である。
【００２３】
図５はタッチパネルの斜視図であり、図６はユーザインタフェース部と回路基板とが接続された状態のユーザインタフェース部及び回路基板の断面図であり、図７は湾曲部を備えていない可撓性部材において、回路基板に対してユーザインタフェース部が変形困難方向に位置ずれを起こした場合の可撓性部材の状態の変化を示す説明図である。
【００２４】
図８は湾曲部を備える可撓性部材において、回路基板に対してユーザインタフェース部が変形困難方向に位置ずれを起こした場合の可撓性部材の状態の変化を示す説明図であり、図９は湾曲部を備える可撓性部材において、回路基板に対してユーザインタフェース部が変形困難方向に位置ずれを起こした場合の可撓性部材の状態の変化を示す説明図であり、図１０は画像読取装置の本体部を示す斜視図であり、図１１は画像読取装置の本体部に回路基板を取りつけ、ユーザインタフェース部を仮置きした状態を示す斜視図である。
【００２５】
図１２は本体部に筐体を取り付けた状態を示す斜視図であり、図１３は回路基板に対して、ユーザインタフェース部を仮置き位置に位置させた状態及びユーザインタフェース部を固定位置に位置させた状態を示す側断面図であり、図１４は本体部においてユーザインタフェース部を固定位置に位置させた状態を示す斜視図であり、図１５は本体部においてユーザインタフェース部の周囲を覆うカバーパネルを取りつけた状態を示す斜視図である。
【００２６】
また、各図において示すＸ−Ｙ−Ｚ座標系はＸ方向が装置幅方向であるとともに用紙幅方向、Ｙ方向が画像読取装置における用紙搬送方向、Ｚ方向がＹ方向と直交する方向であり、概ね搬送される用紙の面と直交する方向を示している。尚、各図において＋Ｙ方向側を装置前面側とし、−Ｙ方向側を装置背面側とする。
【００２７】
■■■実施例■■■■
＜＜＜画像読取装置の概要＞＞＞
図１において、「電子機器」の一例としての画像読取装置１０について説明する。画像読取装置１０は、本体部１２（図１０）と、本体部１２を覆い、画像読取装置１０の外面を構成する筐体１４とを備えている。画像読取装置１０において筐体１４の前面側には、ユーザインタフェース部１６が設けられている。ユーザインタフェース部１６については後述する。画像読取装置１０の前面側において、ユーザインタフェース部１６の下方には、排出口１８が設けられている。
【００２８】
本体部１２の装置背面側端部には、原稿支持部２０が設けられている。原稿支持部２０は、原稿を傾斜した姿勢で支持することができるように構成されている。原稿支持部２０には、複数枚の原稿をセットすることができる。
【００２９】
次いで図２において、画像読取装置１０における原稿搬送路２２について説明する。図２において、符号Ｐが付された二点鎖線は、画像読取装置１０内において原稿搬送路２２に沿って搬送される原稿の案内経路を示している。
【００３０】
本体部１２において原稿搬送路２２の経路上には、原稿の搬送方向上流側から下流側に向かって、給送ローラー２４、分離ローラー２６、搬送ローラー対２８、「読み取り手段」としての画像読取部３０及び排出ローラー対３２が設けられている。本実施例において給送ローラー２４は、本体部１２内に設けられた不図示の駆動源により回転駆動させられる。
【００３１】
分離ローラー２６は、給送ローラー２４と対向する位置に設けられている。分離ローラー２６は、不図示の付勢手段によって給送ローラー２４に対して付勢された状態に設けられている。分離ローラー２６は、給送ローラー２４と分離ローラー２６との間に複数枚の原稿が入り込むと、給送されるべき最下位の原稿のみを搬送方向下流側に送るべく複数枚の原稿を分離するように構成されている。原稿支持部２０に傾斜した姿勢で支持された原稿は、給送ローラー２４と分離ローラー２６とにニップされて、搬送方向下流側に配置された搬送ローラー対２８に搬送される。次いで、搬送ローラー対２８は、給送ローラー２４から送られてきた原稿を画像読取部３０に向けて送り出す。
【００３２】
画像読取部３０は、原稿搬送路２２に沿って搬送される原稿の下面、すなわち第１面と対向するように本体部１２内に設けられた第１読み取りユニット３４Ａと、原稿搬送路２２に沿って搬送される原稿の上面、すなわち第２面と対向するように本体部１２内に設けられた第２読み取りユニット３４Ｂとを備えている。本実施例において、第１読み取りユニット３４Ａ及び第２読み取りユニット３４Ｂは読み取りユニットとして構成され、一例として密着型イメージセンサーモジュール（ＣＩＳＭ）として構成されている。
【００３３】
搬送ローラー対２８により画像読取部３０に送られた原稿は、画像読取部３０において原稿Ｐの第１面及び第２面の少なくとも一方の面の画像を読み取られた後、画像読取部３０の搬送方向下流側に位置する排出ローラー対３２にニップされて排出口１８から排出される。
【００３４】
＜＜＜ユーザインタフェース部及び回路基板について＞＞＞
次いで、図３ないし図６においてユーザインタフェース部１６及び回路基板３６について説明する。ユーザインタフェース部１６は、一例として画像読取装置１０の情報を表示する表示部として形成されている。本実施例においてユーザインタフェース部１６は、基体部３８と、タッチパネル４０と、ＬＣＤ（液晶ディスプレー）パネル４２とを備えている。本実施例では、位置入力装置としてのタッチパネル４０と、表示装置としてのＬＣＤパネル４２とを組み合わせてタッチパネル部４４を構成している。尚、本実施例におけるタッチパネル４０は、抵抗膜方式、静電容量方式、表面弾性波方式等の公知のタッチパネルとして構成されている。
【００３５】
基体部３８は、一例として＋Ｚ方向に開口する箱状に形成されている。基体部３８の底面には開口３８ａ（図６）が設けられている。基体部３８の周囲には、基体部３８から突出する複数の突出部３８ｂが設けられている。各突出部３８ｂには貫通孔３８ｃが設けられ、後述する締結部材４６（図１１）を挿入可能に構成されている。
【００３６】
開口３８ａにはＬＣＤパネル４２が表示面を＋Ｚ方向側に向けて取り付けられている。さらに、基体部３８の上部には、ＬＣＤパネル４２を覆うようにタッチパネル４０が取り付けられている。
【００３７】
回路基板３６は、複数の電子部品が取り付けられた電子回路として構成されている。本実施例において回路基板３６の外周部には複数の貫通孔３６ａが形成されている。さらに、回路基板３６には、一例として、図４に示すように上面側にタッチパネル用コネクター３６ｂ及びＬＣＤパネル用コネクター３６ｃが設けられ、下面側に画像読取部用コネクター３６ｄ、３６ｅが設けられている。
【００３８】
図５において、タッチパネル４０の−Ｘ方向側端部からタッチパネル４０における入力情報を伝達するためのフラット状の可撓性部材４８が延出されている。本実施例において可撓性部材４８は、一例として公知のＦＰＣ（フレキシブルプリント回路基板）として構成されている。可撓性部材４８の−Ｘ方向側の端部は端子部４８ａとして構成され、端子部４８ａには、図示しないが複数の端子が設けられている。可撓性部材４８の端子部４８ａを、回路基板３６のタッチパネル用コネクター３６ｂに差し込むことにより、タッチパネル４０と回路基板３６とが電気的に接続される。
【００３９】
同様に、図６に示すようにＬＣＤパネル４２の−Ｘ方向側端部からもフラット状の可撓性部材５０が延出されている。本実施例において可撓性部材４８は、一例として公知のＦＰＣ（フレキシブルプリント回路基板）として構成されている。可撓性部材５０の−Ｘ方向側の端部は端子部５０ａとして構成され、端子部５０ａには、図示しないが複数の端子が設けられている。可撓性部材５０の端子部５０ａを、回路基板３６のＬＣＤパネル用コネクター３６ｃに差し込むことにより、ＬＣＤパネル４２と回路基板３６とが電気的に接続される。
【００４０】
図６および図１３の上の図において、可撓性部材４８は、ユーザインタフェース部１６から回路基板３６側（−Ｘ方向側）に延出し、装置内側（−Ｚ方向側）に向かって湾曲して第１湾曲部４８ｂを形成し、その後、第１湾曲部４８ｂの湾曲方向と異なる方向である回路基板３６側（−Ｘ方向側）に向かって湾曲して第２湾曲部４８ｃを形成してタッチパネル用コネクター３６ｂに差し込まれている。
【００４１】
同様に、可撓性部材５０は、ユーザインタフェース部１６から回路基板３６側（−Ｘ方向側）に延出し、装置内側（−Ｚ方向側）に向かって湾曲して第１湾曲部５０ｂを形成し、その後、第１湾曲部５０ｂの湾曲方向と異なる方向である回路基板３６側（−Ｘ方向側）に向かって湾曲して第２湾曲部５０ｃを形成して、ＬＣＤパネル用コネクター３６ｃに差し込まれている。
【００４２】
ここで、第１湾曲部４８ｂ、５０ｂ及び第２湾曲部４８ｃ、５０ｃは、後述するユーザインタフェース部１６の固定位置における湾曲度合い（図１３の下の図の状態）が完成状態であり、即ち本発明において第１湾曲部４８ｂ、５０ｂ及び第２湾曲部４８ｃ、５０ｃとは、装置が完全に組み立てられた状態における湾曲部（湾曲状態）を指す。  
但し本実施例では、ユーザインタフェース部１６の仮置き位置における状態（図６及び図１３の上の図の状態）においても、後に完成状態において第１湾曲部４８ｂ、５０ｂ及び第２湾曲部４８ｃ、５０ｃとなる湾曲が形成されている。以下では説明の便宜上、仮置き状態での湾曲部（完成状態での湾曲度合いとは異なる湾曲部）も含めて第１湾曲部４８ｂ、第１湾曲部５０ｂ、第２湾曲部４８ｃ、第２湾曲部５０ｃと称することとする。
【００４３】
ここで、可撓性部材４８、５０に設けられた湾曲部の作用効果を説明するために、可撓性部材４８を例として可撓性部材４８において第１湾曲部４８ｂ及び第２湾曲部４８ｃを備えない構成における課題を図７を参照して説明する。図７の上の図において、タッチパネル４０から回路基板３６側（−Ｘ方向側）に延出した可撓性部材４８は、湾曲せずにＸ軸方向に沿ってまっすぐに延びてタッチパネル用コネクター３６ｂに差し込まれている。
【００４４】
ここで、ＦＰＣやＦＦＣ等のフラット状の可撓性部材は、フラット面や可撓性部材の長さ方向においては、柔軟に変形するが、フラット面及び可撓性部材の長さ方向（図７の上の図においてＸ軸方向）と交差する方向である可撓性部材の幅方向（図７の上の図においてＹ軸方向）では、柔軟な変形が困難であり、無理に変形させようとすると、ＦＰＣやＦＦＣ等のケーブル内部の配線の一部が断線を起こす場合がある。
【００４５】
図７の下の図のように、回路基板３６に対してタッチパネル４０（ユーザインタフェース部１６）が可撓性部材の変形困難方向であるＹ軸方向（図７の下の図では−Ｙ方向）に位置ずれを起こした場合、可撓性部材４８はタッチパネル４０の変位方向への変形が困難であることから、可撓性部材４８に好ましくない力が作用する。その結果、可撓性部材４８には、好ましくない力により変形困難方向において無理な変形が生じる場合や、可撓性部材４８の端子部４８ａがタッチパネル用コネクター３６ｂから抜け出る場合がある。尚、図７の下の図において符号４０−１が付された二点鎖線部は位置ずれ前のタッチパネル４０の位置を示している。
【００４６】
次いで、可撓性部材４８、５０に設けられた湾曲部の作用効果について可撓性部材４８を例として図８及び図９を参照して説明する。尚、図８及び図９の各上の図は、タッチパネル４０が回路基板３６に対して位置ずれを起こす前の状態を示したものであり、図８及び図９の各下の図は、タッチパネル４０が回路基板３６に対して位置ずれを起こした後の状態を示したものである。
【００４７】
図８の上の図及び図９の上の図において、タッチパネル４０から回路基板３６側（−Ｘ方向側）に延出した可撓性部材４８は、タッチパネル４０から回路基板３６までの経路において第１湾曲部４８ｂ及び第２湾曲部４８ｃを形成して回路基板３６に接続されている。
【００４８】
ここで、図８の下の図及び図９の下の図において、回路基板３６に対してタッチパネル４０（ユーザインタフェース部１６）が可撓性部材の変形困難方向であるＹ軸方向（図８及び図９の各下の図では−Ｙ方向）に位置ずれを起こした場合、第１湾曲部４８ｂの＋Ｙ方向側端部が−Ｘ方向側にせり出すとともに−Ｙ方向側端部が＋Ｘ方向側に後退する。一方、第２湾曲部４８ｃでは、＋Ｙ方向側端部が−Ｘ方向側に後退するとともに−Ｙ方向側端部が＋Ｘ方向側にせり出す。尚、回路基板３６に対してタッチパネル４０が上記説明と反対の方向である＋Ｙ方向に位置ずれを起こした場合は、第１湾曲部４８ｂ及び第２湾曲部４８ｃの変形状態は上記説明と逆の変形状態となる。
【００４９】
したがって、第１湾曲部４８ｂにおいて＋Ｙ方向側では湾曲度合いが大きくなり、−Ｙ方向側では湾曲度合いが小さくなる。対照的に第２湾曲部４８ｃでは＋Ｙ方向側では湾曲度合いが小さくなり、−Ｙ方向側では、湾曲度合いが大きくなる。つまり、第１湾曲部４８ｂ及び第２湾曲部４８ｃにおいて、変形困難方向であるＹ軸方向の湾曲度合いが非均一となることで、Ｙ軸方向におけるタッチパネル４０（ユーザインタフェース部１６）と回路基板３６との位置ずれを許容することができる。
【００５０】
これにより、可撓性部材４８をＹ軸方向に無理に変形させないことから、ケーブル内の配線の断線や端子部４８ａがタッチパネル用コネクター３６ｂから抜け出ることを抑制、あるいは防止できる。尚、説明では、可撓性部材４８を例としたが、可撓性部材５０においても第１湾曲部５０ｂ及び第２湾曲部５０ｃが形成されており、可撓性部材４８の第１湾曲部４８ｂ及び第２湾曲部４８ｃと同様にＹ軸方向におけるタッチパネル４０（ユーザインタフェース部１６）と回路基板３６との位置ずれを許容することができる。
【００５１】
＜＜＜画像読取装置の組立方法について＞＞＞
次いで、図１０ないし図１５を参照して、画像読取装置１０の組立方法について説明する。第１の工程として、図３に示すように、ユーザインタフェース部１６を構成するタッチパネル４０及びＬＣＤパネル４２をそれぞれ可撓性部材４８、５０により回路基板３６と電気的に接続する。
【００５２】
ここで、図１０において、本体部１２の＋Ｚ方向側端部には、回路基板固定部５２が設けられている。回路基板固定部５２は、複数の取付部５２ａと、仮置き部５２ｂとを備えている。取付部５２ａは、回路基板固定部５２において回路基板３６の外周部に設けられた複数の貫通孔３６ａに対応するように設けられている。取付部５２ａは、締結部材４６（図１１）と係合可能に構成されている。仮置き部５２ｂは、ユーザインタフェース部１６をＹ軸方向に沿った姿勢（傾斜した姿勢）で支持するように構成されている。
【００５３】
回路基板固定部５２の＋Ｙ軸方向側端部には、本体部１２内部の画像読取部３０から延出された第１ケーブル５４及び第２ケーブル５６の端部がそれぞれ配置されている。本実施例において、第１ケーブル５４及び第２ケーブル５６は一例としてＦＦＣ（フレキシブルフラットケーブル）として構成したが、ＦＰＣ等で構成してもよい。
【００５４】
次いで、第２の工程として、図１１に示すように、本体部１２の回路基板固定部５２に取付部５２ａと貫通孔３６ａとの位置が合うように回路基板３６を配置する。貫通孔３６ａに締結部材４６を挿入し、締結部材４６を取付部５２ａに対して締め付ける。これにより、回路基板３６が回路基板固定部５２に対して固定される。尚、締結部材４６は、一例としてねじとして構成されているが、ボルト等であってもよい。
【００５５】
回路基板固定部５２に固定された回路基板３６の画像読取部用コネクター３６ｄに第１ケーブル５４を差込むとともに画像読取部用コネクター３６ｅに第２ケーブル５６を差込み、画像読取部３０と回路基板３６とを電気的に接続する。仮置き部５２ｂには、ユーザインタフェース部１６をＹ軸方向に沿った姿勢で仮置きする。尚、Ｘ軸方向において仮置き部５２ｂにユーザインタフェース部１６を仮置きした位置を仮置き位置とする。
【００５６】
第３の工程として、図１２に示すように、筐体１４を本体部１２の＋Ｚ方向側端部を覆うように本体部１２に取り付ける。ここで、筐体１４には、筐体１４を本体部１２に装着した際、仮置きされたユーザインタフェース部１６を装置外側に露呈させる開口１４ａが設けられている。開口１４ａの内側には、複数の固定部１４ｂが設けられている。筐体１４が本体部１２に対して装着されると、開口１４ａ内に位置するユーザインタフェース部１６は開口１４ａを通して露呈する。一方、回路基板３６は筐体１４により覆われる。
【００５７】
ここで、ユーザインタフェース部１６は、回路基板固定部５２の仮置き部５２ｂに仮置きされた状態であるので、基体部３８の突出部３８ｂの位置が、固定部１４ｂに対して−Ｘ方向側にずれた位置にある。
【００５８】
次いで、図１３及び図１４において第４の工程として、ユーザインタフェース部１６を仮置き位置から＋Ｘ方向側にずらす。図１３に示すようにユーザインタフェース部１６を仮置き位置から＋Ｘ方向側にずらすと、可撓性部材４８の第１湾曲部４８ｂ及び第２湾曲部４８ｃにおける湾曲度合いは緩やかになるが、ユーザインタフェース部１６と回路基板３６とのＹ軸方向における位置ずれを許容できる程度に湾曲度合いは維持されている。可撓性部材５０の第１湾曲部５０ｂ及び第２湾曲部５０ｃについても同様である。
【００５９】
図１４に示すようにユーザインタフェース部１６を仮置き位置から＋Ｘ方向側にずらすと、Ｘ軸方向において基体部３８の突出部３８ｂと固定部１４ｂとが重なる。この位置をユーザインタフェース部１６の固定位置とする。ここで第５の工程として、締結部材５８を突出部３８ｂの貫通孔３８ｃに通して固定部１４ｂに締め付けることで、ユーザインタフェース部１６が筐体１４に固定される。尚、締結部材５８は、一例としてねじとして構成されているが、ボルト等であってもよい。
【００６０】
次いで、図１５において、第６の工程として筐体１４の開口１４ａに対してカバーパネル６０を取り付ける。カバーパネル６０は開口１４ａを覆うサイズに構成されている。カバーパネル６０は、筐体１４の前面側から＋Ｙ軸方向から−Ｙ軸方向（図１５の矢印方向）に沿ってスライドさせて筐体１４に取り付ける。これにより、ユーザインタフェース部１６のタッチパネル４０のみが露呈し、基体部３８はカバーパネル６０により覆われる。さらに、カバーパネル６０を筐体１４に取りつけることで、装置前面側における段差や隙間を減らすことができ、装置の美観を向上させることができる。
【００６１】
＜＜＜実施例の変更例＞＞＞
（１）本実施例においてユーザインタフェース部１６は、タッチパネル４０を備えるタッチパネル部４４として構成したが、位置入力装置としてのタッチパネル４０の代わりに、操作を入力するボタン、或いは操作を入力するボタン等を備える操作パネルであっても良いし、或いは、前記ボタン等に更に表示手段としてのＬＣＤパネル４２を備えたパネルをユーザインタフェース部１６として構成してもよい。
（２）本実施例において、フラット状の可撓性部材４８、５０は、一例としてＦＰＣ（フレキシブルプリント回路基板）として構成したが、ＦＦＣ（フレキシブルフラットケーブル）ケーブルとして構成してもよい。
（３）本実施例では、電子機器を一例として画像読取装置１０として構成したが、この構成に代えて、例えば、電子機器を、媒体に記録を行う記録手段としての記録ヘッドを備えた記録装置（プリンター）として構成してもよい。
【００６２】
上記説明をまとめると、画像読取装置１０は、装置外面に設けられるユーザインタフェース部１６と、ユーザインタフェース部１６より装置内側に位置し、ユーザインタフェース部１６と電気的に接続される回路基板３６と、ユーザインタフェース部１６と回路基板３６とを接続するフラット状の可撓性部材４８、５０と、を備え、可撓性部材４８、５０は、ユーザインタフェース部１６から延出して装置内側に向かって湾曲することにより形成される第１湾曲部４８ｂ、５０ｂと、第１湾曲部４８ｂ、５０ｂとは湾曲方向が異なるとともに回路基板３６に向かって湾曲する第２湾曲部４８ｃ、５０ｃと、を形成してユーザインタフェース部１６と回路基板３６とを接続する。
【００６３】
上記構成によれば、ユーザインタフェース部１６と回路基板３６とを接続するフラット状の可撓性部材４８、５０は、ユーザインタフェース部１６から延出して装置内側に向かって湾曲することにより形成される第１湾曲部４８ｂ、５０ｂと、第１湾曲部４８ｂ、５０ｂとは湾曲方向が異なるとともに回路基板３６に向かって湾曲する第２湾曲部４８ｃ、５０ｃと、を形成してユーザインタフェース部１６と回路基板３６とを接続するので、ユーザインタフェース部１６が、回路基板３６に対して可撓性部材４８、５０が変形し難い方向（変形困難方向）であるＹ軸方向に位置ずれした場合でも、第１湾曲部４８ｂ、５０ｂ及び第２湾曲部４８ｃ、５０ｃの湾曲の度合いが変形困難方向であるＹ軸方向において非均一となることで結果的に可撓性部材４８、５０が全体的に変形困難方向で変形することができる。その結果、第１湾曲部４８ｂ、５０ｂ及び第２湾曲部４８ｃ、５０ｃが、変形困難方向であるＹ軸方向におけるユーザインタフェース部１６と回路基板３６との位置ずれを許容するので、ユーザインタフェース部１６と回路基板３６との接続状態を適切に維持できる。
【００６４】
画像読取装置１０は、ユーザインタフェース部１６とともに装置外面を構成する、ユーザインタフェース部１６が固定される筐体１４と、筐体１４により覆われる、回路基板３６が固定される本体部１２と、を有する。
【００６５】
上記構成によれば、ユーザインタフェース部１６が筐体１４に固定され、回路基板３６が本体部１２に固定される為、本体部１２に対する筐体１４の取り付け位置ずれや、組立後の落下による衝撃等に起因して、本体部１２に対する筐体１４の位置ずれが生じる場合があり、即ち、可撓性部材４８、５０に変形困難方向への変形の力が加わる場合がある。しかしながら、可撓性部材４８、５０が全体的に変形困難方向で変形することができ、第１湾曲部４８ｂ、５０ｂ及び第２湾曲部４８ｃ、５０ｃが、変形困難方向であるＹ軸方向におけるユーザインタフェース部１６と回路基板３６との位置ずれを許容するので、ユーザインタフェース部１６と回路基板３６との接続状態を適切に維持できる。
【００６６】
本体部１２には、筐体１４に固定される前のユーザインタフェース部１６を仮置きする仮置き部５２ｂが設けられている。この構成によれば、ユーザインタフェース部１６を組み付ける際の作業性が向上する。特に、ユーザインタフェース部１６と回路基板３６とを可撓性部材４８、５０で接続した後、回路基板３６を本体部１２に固定する場合には、組み付け前のユーザインタフェース部１６を安定して保持（仮置き）することができる。
【００６７】
ユーザインタフェース部１６の周囲には、筐体１４に対して固定される突出部３８ｂが設けられ、筐体１４には、ユーザインタフェース部１６を露呈させる開口１４ａと、開口１４ａの内側に形成された、突出部３８ｂが固定される固定部１４ｂと、が設けられ、本体部１２にユーザインタフェース部１６が仮置きされるとともに筐体１４が取り付けられた状態において、突出部３８ｂと固定部１４ｂとがずれた位置関係となり、ユーザインタフェース部１６が仮置き位置から固定位置に変位可能な状態となる。
【００６８】
上記構成によれば、本体部１２にユーザインタフェース部１６が仮置きされるとともに筐体１４が取り付けられた状態において、突出部３８ｂと固定部１４ｂとがずれた位置関係となり、ユーザインタフェース部１６が仮置き位置から固定位置に変位可能な状態となるので、ユーザインタフェース部１６を筐体１４に対し作業性容易に固定することができる。
【００６９】
ユーザインタフェース部１６は、情報を表示する表示部である。画像読取装置１０は、媒体を読み取る読み取り手段である画像読取部３０を備える。或いは、電子機器は、媒体に記録を行う記録手段である記録ヘッドを備える記録装置（プリンター）である。
【００７０】
電子機器の一例である画像読取装置１０の製造方法は、装置外面に設けられるユーザインタフェース部１６と、ユーザインタフェース部１６と電気的に接続される回路基板３６と、ユーザインタフェース部１６と回路基板３６とを接続するフラット状の可撓性部材４８、５０と、ユーザインタフェース部１６とともに装置外面を構成する、ユーザインタフェース部１６が固定される筐体１４と、筐体１４により覆われる、回路基板３６が固定される本体部１２と、を有する画像読取装置１０の製造方法であって、ユーザインタフェース部１６と回路基板３６とを可撓性部材４８、５０で接続する工程と、回路基板３６の本体部１２への固定、及び本体部１２に設けられた仮置き部５２ｂへのユーザインタフェース部１６の仮置きを含む工程と、筐体１４を本体部１２に取り付けて、筐体１４に形成された開口１４ａからユーザインタフェース部１６を露呈させるとともに、ユーザインタフェース部１６の周囲に形成された、筐体１４に対して固定される突出部３８ｂに対し、開口１４ａの内側に形成された、突出部３８ｂが固定される固定部１４ｂをずらした状態とする工程と、ユーザインタフェース部１６を仮置き位置から固定位置に変位させることにより、可撓性部材４８、５０に、ユーザインタフェース部１６から延出して装置内側に向かって湾曲することにより形成される第１湾曲部４８ｂ、５０ｂと、第１湾曲部４８ｂ、５０ｂとは湾曲方向が異なるとともに回路基板３６に向かって湾曲する第２湾曲部４８ｃ、５０ｃと、を形成する工程と、ユーザインタフェース部１６の突出部３８ｂを固定部１４ｂに対して固定する工程とを含む。
【００７１】
上記構成によれば、ユーザインタフェース部１６が、回路基板３６に対して可撓性部材４８、５０が変形し難い方向（変形困難方向）であるＹ軸方向に位置ずれした場合でも、第１湾曲部４８ｂ、５０ｂ及び第２湾曲部４８ｃ、５０ｃの湾曲の度合いが変形困難方向であるＹ軸方向で非均一となることで結果的に可撓性部材４８、５０が全体的に変形困難方向で変形することができる。その結果、第１湾曲部４８ｂ、５０ｂ及び第２湾曲部４８ｃ、５０ｃが、変形困難方向であるＹ軸方向におけるユーザインタフェース部１６と回路基板３６との位置ずれを許容するので、ユーザインタフェース部１６と回路基板３６との接続状態を適切に維持できる。加えて、本体部１２にユーザインタフェース部１６が仮置きされるとともに筐体１４が取り付けられた状態において、突出部３８ｂと固定部１４ｂとがずれた位置関係となり、ユーザインタフェース部１６が仮置き位置から固定位置に変位可能な状態となるので、ユーザインタフェース部１６を筐体１４に対し作業性容易に固定することができる。
【００７２】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７３】
１０…画像読取装置、１２…本体部、１４…筐体、１４ａ、３８ａ…開口、１４ｂ…固定部、１６…ユーザインタフェース部、１８…排出口、２０…原稿支持部、２２…原稿搬送路、２４…給送ローラー、２６…分離ローラー、２８…搬送ローラー対、３０…画像読取部、３２…排出ローラー対、３４Ａ…第１読み取りユニット、３４Ｂ…第２読み取りユニット、３６…回路基板、３６ａ、３８ｃ…貫通孔、３６ｂ…タッチパネル用コネクター、３６ｃ…ＬＣＤパネル用コネクター、３６ｄ、３６ｅ…画像読取部用コネクター、３８…基体部、３８ｂ…突出部、４０、４０−１…タッチパネル、４２…ＬＣＤパネル、４４…タッチパネル部、４６、５８…締結部材、４８、５０…可撓性部材、４８ａ、５０ａ…端子部、４８ｂ、５０ｂ…第１湾曲部、４８ｃ、５０ｃ…第２湾曲部、５２…回路基板固定部、５２ａ…取付部、５２ｂ…仮置き部、５４…第１ケーブル、５６…第２ケーブル、６０…カバーパネル、Ｐ…原稿
【図１】
2018181989.tif 000003
【図２】
2018181989.tif 000004
【図３】
2018181989.tif 000005
【図４】
2018181989.tif 000006
【図５】
2018181989.tif 000007
【図６】
2018181989.tif 000008
【図７】
2018181989.tif 000009
【図８】
2018181989.tif 000010
【図９】
2018181989.tif 000011
【図１０】
2018181989.tif 000012
【図１１】
2018181989.tif 000013
【図１２】
2018181989.tif 000014
【図１３】
2018181989.tif 000015
【図１４】
2018181989.tif 000016
【図１５】
2018181989.tif 000017